(57)【特許請求の範囲】
【請求項１】
乗員（Ｍ）の着座するシートクッション（２）、このシートクッション（２）の後端部に連結されて乗員（Ｍ）の背部を受けるシートバック（３）を備えた乗物用座席シートにおいて、
前記シートバック（３）の骨格を構成するシートバックフレーム（２０）は、左右に間隔をあけて配設される左右サイドフレーム（２１）と、前記左右サイドフレーム（２１）の上部間を結合するアッパフレーム（２２）と、前記左右サイドフレーム（２１）の下部間を結合するロアーフレーム（２３）とよりなり、
前記ロアーフレーム（２３）は、前記左右サイドフレーム（２１）間を車幅方向に延びる中央部材（２４）と、この中央部材（２４）の両端を前記左右サイドフレーム（２１）に接続する左右接続部材（２５）とを備え、
前記左右接続部材（２５）は、相互に接近する向きに延びる延出部（２５ａ）をそれぞれ有しており、前記中央部材（２４）の両端部分（２４ａ）は、それらの下端部が前記延出部（２５ａ）の下端部よりも下方に位置するようにして下方に突出し、
前記中央部材（２４）には、上方に向けて突出する中央部分（２６）が形成され、
前記中央部分（２６）の上面は、前記左右接続部材（２５）の前記延出部（２５ａ）の上面よりも上方に位置することを特徴とする、乗物用座席シート。
【請求項２】
前記中央部材（２４）は、前記中央部分（２６）の上面と前記両端部分（２４ａ）の上面との間に段差（Ｓ）が形成されていることを特徴とする、請求項１に記載の乗物用座席シート。
【請求項３】
乗員（Ｍ）の着座するシートクッション（２）、このシートクッション（２）の後端部に連結されて乗員（Ｍ）の背部を受けるシートバック（３）を備えた乗物用座席シートにおいて、
前記シートバック（３）の骨格を構成するシートバックフレーム（２０）は、左右に間隔をあけて配設される左右サイドフレーム（２１）と、前記左右サイドフレーム（２１）の上部間を結合するアッパフレーム（２２）と、前記左右サイドフレーム（２１）の下部間を結合するロアーフレーム（２３）とよりなり、
前記ロアーフレーム（２３）は、前記左右サイドフレーム（２１）間を車幅方向に延びる中央部材（２４）と、この中央部材（２４）の両端を前記左右サイドフレーム（２１）に接続する左右接続部材（２５）とを備え、
前記左右接続部材（２５）は、相互に接近する向きに延びる延出部（２５ａ）をそれぞれ有しており、前記中央部材（２４）の両端部分（２４ａ）は、それらの下端部が前記延出部（２５ａ）の下端部よりも下方に位置するようにして下方に突出し、
前記中央部材（２４）には、上方に向けて突出する中央部分（２６）が形成され、
前記中央部材（２４）は、前記中央部分（２６）の上面と前記両端部分（２４ａ）の上面との間に段差（Ｓ）が形成されていることを特徴とする、乗物用座席シート。
【請求項４】
前記シートバック（３）に、乗員（Ｍ）の背部を支持する受圧部材（４０）が設けられ、前記中央部分（２６）は、車幅方向で見て該受圧部材（４０）の下側部分の幅内に配置されることを特徴とする、請求項１〜３の何れか１項に記載の乗物用座席シート。
【請求項５】
車幅方向で見て、前記中央部材（２４）の前記両端部分（２４ａ）及びそれらで挟まれる部分の範囲内に、前記シートバック（３）に設けられて乗員（Ｍ）の背部を支持する受圧部材（４０）の下側部分が配置されること特徴とする、請求項１〜４の何れか１項に記載の乗物用座席シート。
【請求項６】
前記中央部材（２４）の前記両端部分（２４ａ）の下端部は、前記シートバックフレーム（２０）をリクライニングさせるリクライニング機構（１０）の枢軸（９）よりも下方に位置することを特徴とする、前記請求項１〜５の何れか１項に記載の乗物用座席シート。
【請求項７】
前記中央部材（２４）には、前方に突出する湾曲面（２６ａ）が形成されることを特徴とする、前記請求項１〜６の何れか１項に記載の乗物用座席シート。
【請求項８】
前記湾曲面（２６ａ）の下面には、前記シートバック（３）のクッション部材（１４）の後面が当接することを特徴とする、前記請求項７に記載の乗物用座席シート。
【請求項９】
乗員（Ｍ）の着座するシートクッション（２）、このシートクッション（２）の後端部に連結されて乗員（Ｍ）の背部を受けるシートバック（３）を備えた乗物用座席シートにおいて、
前記シートバック（３）の骨格を構成するシートバックフレーム（２０）は、左右に間隔をあけて配設される左右サイドフレーム（２１）と、前記左右サイドフレーム（２１）の上部間を結合するアッパフレーム（２２）と、前記左右サイドフレーム（２１）の下部間を結合するロアーフレーム（２３）とよりなり、
前記ロアーフレーム（２３）は、前記左右サイドフレーム（２１）間を車幅方向に延びる中央部材（２４）と、この中央部材（２４）の両端を前記左右サイドフレーム（２１）に接続する左右接続部材（２５）とを備え、
前記左右接続部材（２５）は、相互に接近する向きに延びる延出部（２５ａ）をそれぞれ有しており、前記中央部材（２４）の両端部分（２４ａ）は、それらの下端部が前記延出部（２５ａ）の下端部よりも下方に位置するようにして下方に突出し、
前記中央部材（２４）には、前方に突出する湾曲面（２６ａ）が形成され、前記湾曲面（２６ａ）の下面には、前記シートバック（３）のクッション部材（１４）の後面が当接することを特徴とする、乗物用座席シート。
【請求項１０】
前記中央部材（２４）の上端部には、表面を湾曲させた第１のフランジ部（２６ｂ）が形成されることを特徴とする、前記請求項１〜９の何れか１項に記載の乗物用座席シート。
【請求項１１】
前記中央部材（２４）の下端部には、表面を湾曲させた第２のフランジ部（２４ｃ）が形成されることを特徴とする、前記請求項１〜１０の何れか１項に記載の乗物用座席シート。
【請求項１２】
前記第２のフランジ部（２４ｃ）は、前記シートバックフレーム（２０）をリクライニングさせるリクライニング機構（１０）の枢軸（９）を回り込むように形成されることを特徴とする、前記請求項１１に記載の乗物用座席シート。
【発明の詳細な説明】
【技術分野】
【０００１】
本発明は、乗物、主として自動車に設置され、シートクッション、このシートクッションの後端部に連結されるシートバックを備えた、乗物用座席シートに関する。
【背景技術】
【０００２】
かゝる乗物用座席シートにおいて、前記シートバックの骨格を形成するシートバックフレームを、左右に間隔をあけて配設される左右サイドフレーム、左右サイドフレームの上部間を結合するアッパフレーム、左右サイドフレームの下部間を結合するロアーフレームなどにより構成したものは公知である（下記特許文献１参照）。
【先行技術文献】
【特許文献】
【０００３】
【特許文献１】日本特開２０１０−１７３４３４号公報
【発明の概要】
【発明が解決しようとする課題】
【０００４】
ところが、前記シートバックは、シートバックフレームの下部フレームの上方に空間部が形成されているため、たとえば、乗物の、急加速時、後面衝突時など、シートバックに過度な衝撃荷重が作用したときに、シートバックによる乗員の支持、特にその腰部に対する支持を向上させることが望まれていた。
【０００５】
本発明は、かゝる事情に鑑みてなされたもので、シートバックフレームを改良することで、前記要望を満たすようにした新規な乗物用座席シートを提供することを目的とする。
【課題を解決するための手段】
【０００６】
上記目的を達成するために、本発明は、乗物の適所に設置されて乗員の着座するシートクッション、このシートクッションの後端部に連結されて乗員の背部を受けるシートバックを備えた乗物用座席シートにおいて、前記シートバックの骨格を構成するシートバックフレームは、左右に間隔をあけて配設される左右サイドフレームと、前記左右サイドフレームの上部間を結合するアッパフレームと、前記左右サイドフレームの下部間を結合するロアーフレームとよりなり、前記ロアーフレームは、前記左右サイドフレーム間を車幅方向に延びる中央部材と、この中央部材の両端を前記左右サイドフレームに接続する左右接続部材とを備え、前記左右接続部材は、相互に接近する向きに延びる延出部をそれぞれ有しており、前記中央部材の両端部分は、それらの下端部が前記延出部の下端部よりも下方に位置するようにして下方に突出し、前記中央部材には、上方に向けて突出する中央部分が形成され、前記中央部分の上面は、前記左右接続部材の前記延出部の上面よりも上方に位置することを第１の特徴としている。
【０００７】
上記目的を達成するために、本発明は、前記１の特徴に加えて、前記中央部材は、前記中央部分の上面と前記両端部分の上面との間に段差が形成されていることを第２の特徴としている。
【０００８】
上記目的を達成するために、本発明は、乗員の着座するシートクッション、このシートクッションの後端部に連結されて乗員の背部を受けるシートバックを備えた乗物用座席シートにおいて、前記シートバックの骨格を構成するシートバックフレームは、左右に間隔をあけて配設される左右サイドフレームと、前記左右サイドフレームの上部間を結合するアッパフレームと、前記左右サイドフレームの下部間を結合するロアーフレームとよりなり、前記ロアーフレームは、前記左右サイドフレーム間を車幅方向に延びる中央部材と、この中央部材の両端を前記左右サイドフレームに接続する左右接続部材とを備え、前記左右接続部材は、相互に接近する向きに延びる延出部をそれぞれ有しており、前記中央部材の両端部分は、それらの下端部が前記延出部の下端部よりも下方に位置するようにして下方に突出し、前記中央部材には、上方に向けて突出する中央部分が形成され、前記中央部材は、前記中央部分の上面と前記両端部分の上面との間に段差が形成されていることを第３の特徴としている。
【０００９】
上記目的を達成するために、本発明は、前記第１〜第３の特徴の何れかに加えて、前記シートバックに、乗員の背部を支持する受圧部材が設けられ、前記中央部分は、車幅方向で見て該受圧部材の下側部分の幅内に配置されることを第４の特徴としている。
【００１０】
上記目的を達成するために、本発明は、前記第１〜第４の特徴の何れかに加えて、車幅方向で見て、前記中央部材の前記両端部分及びそれらで挟まれる部分の範囲内に、前記シートバックに設けられて乗員の背部を支持する受圧部材の下側部分が配置されることを第５の特徴としている。
【００１１】
上記目的を達成するために、本発明は、前記第１〜第５の特徴の何れかに加えて、前記中央部材の前記両端部分の下端部は、前記シートバックフレームをリクライニングさせるリクライニング機構の枢軸よりも下方に位置することを第６の特徴としている。
【００１２】
上記目的を達成するために、本発明は、前記第１〜第６の特徴の何れかに加えて、前記中央部材には、前方に突出する湾曲面が形成されることを第７の特徴としている。
【００１３】
上記目的を達成するために、本発明は、前記第７の特徴に加えて、前記湾曲面の下面には、前記シートバックのクッション部材の後面が当接することを第８の特徴としている。
【００１４】
上記目的を達成するために、本発明は、乗員の着座するシートクッション、このシートクッションの後端部に連結されて乗員の背部を受けるシートバックを備えた乗物用座席シートにおいて、前記シートバックの骨格を構成するシートバックフレームは、左右に間隔をあけて配設される左右サイドフレームと、前記左右サイドフレームの上部間を結合するアッパフレームと、前記左右サイドフレームの下部間を結合するロアーフレームとよりなり、前記ロアーフレームは、前記左右サイドフレーム間を車幅方向に延びる中央部材と、この中央部材の両端を前記左右サイドフレームに接続する左右接続部材とを備え、前記左右接続部材は、相互に接近する向きに延びる延出部をそれぞれ有しており、前記中央部材の両端部分は、それらの下端部が前記延出部の下端部よりも下方に位置するようにして下方に突出し、前記中央部材には、前方に突出する湾曲面が形成され、前記湾曲面の下面には、前記シートバックのクッション部材の後面が当接することを第９の特徴としている。
【００１５】
上記目的を達成するために、本発明は、前記第１〜第９の特徴の何れかに加えて、前記中央部材の上端部には、表面を湾曲させた第１のフランジ部が形成されることを第１０の特徴としている。
【００１６】
上記目的を達成するために、本発明は、前記第１〜第１０の特徴の何れかに加えて、前記中央部材の下端部には、表面を湾曲させた第２のフランジ部が形成されることを第１１の特徴としている。
【００１７】
上記目的を達成するために、本発明は、前記第１１の特徴に加えて、前記第２のフランジ部は、前記シートバックフレームをリクライニングさせるリクライニング機構の枢軸を回り込むように形成されることを第１２の特徴としている。
【発明の効果】
【００１８】
本発明の特徴によれば、ロアーフレームは、左右サイドフレーム間を車幅方向に延びる中央部材と、この中央部材の両端を前記左右サイドフレームに接続する左右接続部材とを備え、左右接続部材は、相互に接近する向きに延びる延出部をそれぞれ有するとともに、中央部材の両端部分は、それらの下端部が前記延出部の下端部よりも下方に位置するようにして下方に突出するので、シートバックフレームを組み付けるに当たり、ロアーフレームの中央部材と左右接続部材との相対位置を、中央部材の両端部分と左右接続部材の延出部とで確認しながら定めることができて、組み付け作業が容易となり、組み付け精度も向上する。
【図面の簡単な説明】
【００１９】
【図１】図１は座席シートの側面図である。（第１の実施の形態）
【図２】図２は図１の２矢視の座席シートの一部破断した前方斜視図である。（第１の実施の形態）
【図３】図３は図２の３線矢視の座席シートの正面図である。（第１の実施の形態）
【図４】図４は図２の４線矢視の座席シートの背面図である。（第１の実施の形態）
【図５】図５は図３の５−５線に沿う断面図である。（第１の実施の形態）
【図６】図６は図５の６線矢視の仮想線囲い部分の拡大図である。（第１の実施の形態）
【図７】図７は図５の７線矢視の仮想線囲い部分の拡大図である。（第１の実施の形態）
【図８】図８は図３の８−８線に沿う断面図である。（第１の実施の形態）
【図９】図９は図３の９線矢視拡大図である。（第１の実施の形態）
【図１０】図１０は受圧部材に負荷のかかった状態を示す、図７と同じ断面図である。（第１の実施の形態）
【図１１】図１１は受圧部材に負荷のかかった状態の受圧部材と上部連結ワイヤとの関係を示す、図４の一部拡大図である。（第１の実施の形態）
【図１２】図１２は図１１の１２−１２線に沿う断面図である。（第１の実施の形態）
【符号の説明】
【００２０】
２・・・・・シートクッション
３・・・・・シートバック
９・・・・・枢軸
１０・・・・・リクライニング機構
１４・・・・・クッション部材
２０・・・・・シートバックフレーム
２１・・・・・サイドフレーム
２２・・・・・アッパフレーム
２３・・・・・ロアーフレーム
２４・・・・・中央部材
２４ａ・・・・両端部分
２４ｂ・・・・第２のフランジ部
２５・・・・・左右接続部材
２５ａ・・・・延出部
２６・・・・・中央部分
２６ａ・・・・湾曲面
２６ｂ・・・・第１のフランジ部
４０・・・・・受圧部材
Ｍ・・・・・・乗員
Ｓ・・・・・・段差
【発明を実施するための形態】
【００２１】
本発明の乗物用座席シートを、自動車用として実施した場合の実施態様について説明する。
【第１の実施の形態】
【００２２】
以下の説明において、座席シートの設置される自動車の前後を「前後」、その左右を「左右」、その上下を「上下」という。
【００２３】
図１，２に示すように、自動車用座席シート１は、シートクッション２、シートバック３およびヘッドレスト４を備える。
【００２４】
シートクッション２は、下部に複数の支持脚７、７を設けた、シートクッションフレーム６を有しており、その支持脚７、７が自動車の床Ｆに固着される。
【００２５】
シートクッションフレーム６の後端部には上方に突出する左右一対のブラケット８が連設され、これらブラケット８に、シートバック３の骨格を構成するシートバックフレーム２０が、従来公知のリクライニング機構１０を介して枢軸９まわりにリクライニング可能に連結される。
【００２６】
また、シートバックフレーム２０の上端部、すなわちアッパフレーム２２には、左右一対のヘッドレスト支持筒１１、１１が固設されており、これら支持筒１１、１１によってヘッドレスト４が、従来公知の支持装置（図示せず）によって昇降および固定可能に支持される。
【００２７】
つぎに、図１〜９を参照して、本発明にかかる座席シート１のシートバック３の具体的構造について詳細に説明する。
【００２８】
シートバック３は、その骨格を構成するシートバックフレーム２０と、そのシートバックフレーム２０の全域を被包し、その表面が表皮１５により被覆される、発泡ウレタン製のクッション部材１４と、シートバックフレーム２０の背面に取り付けられるバックボード１６とを備えている。
【００２９】
図２〜４に示すように、シートバックフレーム２０は、上下方向に長い長方形状に形成されており、左右方向、すなわち車幅方向に間隔を存して互いに並行に上下方向に延びる左右サイドフレーム２１と、左右サイドフレーム２１，２１の上端間に溶接結合されるアッパフレーム２２と、左右サイドフレーム２１，２１の下端間に溶接結合されるロアーフレーム２３とより上下方向に長い矩形状に形成されている。
【００３０】
前記左右サイドフレーム２１，２１は、互いに対向する内面を開放した横断面コ字状に形成され、その下半部は前方に湾曲状に膨出形成され、また、前記アッパフレーム２２は、パイプ部材により門型に形成されている。
【００３１】
つぎに、ロアーフレーム２３の構造について説明する。
【００３２】
このロアーフレーム２３は、左右サイドフレーム２１，２１間を車幅方向に延びる中央部材２４と、この中央部材２４の左右両端と左右サイドフレーム２１，２１の下端間を一体に溶接結合する左右接続部材２５，２５を備える。前記中央部材２４は、鋼板などの板材により断面コ字状で、車幅方向に長い長方形に形成され、一方、左右接続部材２５，２５は、鋼板などの板材により断面コ字状で、三角形状に形成されている。中央部材２４の左右両端部には、それと重なるように左右接続部材２５，２５の内端部が接続され、それらは一体に溶接結合される。左右接続部材２５の内端部には、相互に接近する向きに延びる延出部２５ａが形成されており、中央部材２４の両端部分２４ａは、それらの下端部が前記延出部２５ａの下端部よりも下方に位置するようにして下方に突出する。これら両端部分２４ａの下端部は、リクライニング機構１０の枢軸９よりも下方に位置し、また左右接続部材２５，２５の上端は、前記左右サイドフレーム２１，２１の下端にそれぞれ一体に溶接結合される。そして、ロアーフレーム２３は、全体として前後方向からみて凹状に形成されている。
【００３３】
前記中央部材２４と左右接続部材２５，２５は、それらを同一素材あるいは、別の素材により形成してもよく、またそれらは、同じ厚さ、あるいは別の厚さに形成してもよい。
【００３４】
図３，４，５，７に示すように、前記中央部材２４の、車幅方向（左右方向）の中央部の上縁部には、その方向に細長い長方形状の中央部分２６が上方に向けて一体に突出形成されており、該中央部分２６の上面と中央部材２４の両端部分２４ａの上面との間には段差Ｓが形成されている。しかもこの中央部分２６の左右両端と、中央部材２４の左右両端部分２４ａ，２４ａおよび左右接続部材２５，２５との間にはそれぞれ凹部２７，２７が形成されており、該中央部分２６は、単独で前後方向に弾性変形が可能である。そして、この中央部分２６は、ロアーフレーム２３と同じ厚さ、あるいは別の厚さ、たとえばそれよりも肉薄に形成され、その上面は左右接続部材２５の延出部２５ａの上面よりも上方に位置している。
【００３５】
つぎに、前記中央部分２６の構造を、さらに詳細に説明すると、この中央部分２６は、シートクッション２上に乗員Ｍが着座した状態では、後述する受圧部材４０よりも後方にあって、中央部分２６の上端と、受圧部材４０の下端間には、前後方向に距離ｄが保たれ（図５，７参照）、乗員Ｍに違和感を与えないようにしており、自動車の急加速時、後面衝突時など、シートバック３に乗員Ｍからの荷重が作用したとき、受圧部材４０の下端の真下に中央部分２６の前端が配置されるように、中央部分２６の上端と、受圧部材４０の下端とが上下方向に略面一になり、また、中央部分２６の上端面が、受圧部材４０の下端面に最も近づくように設定される（図１０参照）。
【００３６】
図５，７に示すように、前記中央部分２６は、中央部材２４から前側（乗員側）に向けて前上りに傾斜しており、その上下方向の中間領域には、前方に向かって凸に湾曲するように突出する湾曲面２６ａが、その下面をクッション部材１４の後面に接触させる荷重受面として形成され、その上端（自由端）には、前方に向かって表面を湾曲させた第１のフランジ部２６ｂが形成され、さらに、その下端には、後方に向かって折り曲げられる下端折曲部２６ｃが形成されており、中央部分２６の剛性が高められる。前記第１のフランジ部２６ｂは、表皮１５の下端縁の掛け止め部として利用することができ、また、前記下端折曲部２６ｃは中央部材２４に一体に接続されている。中央部分２６の上端面は、後述する受圧部材４０の下端面と間隔をあけて略平行である。
【００３７】
なお、前記第１のフランジ部２６ｂの上端（自由端）は、後方に向かって折り曲げるようにしてもよい。
【００３８】
また、前記中央部材２４の下端部には、表面を湾曲させた第２のフランジ部２４ｃが、リクライニング機構１０の枢軸９を回り込むように形成されている。
【００３９】
図２〜４に示すように、シートバックフレーム２０上部、すなわちアッパフレーム２２の左右側部には、第１規制部材３０および第２規制部材３１が上下に間隔をあけて架設されている。
【００４０】
第１規制部材３０は、ワイヤなどの線状部材により構成され、車幅方向に直線状に延びており、その左右両端３０ｅ，３０ｅが、シートバックフレーム２０のアッパフレーム２２の左右側部に溶接結着されている。そして、この第１規制部材３０は、図５，６に示すように、アッパフレーム２２を迂回してその後部下方に垂下される後部クッション部材１４ａの下端部を挟んでバックボード１６の上縁を支持しており、後部クッション部材４４の変形を規制する。
【００４１】
一方、図３，４に示すように、第２規制部材３１もワイヤなどの線状部材により構成され、その左右両端３１ｅ，３１ｅが、アッパフレーム２２の左右側部に溶接結着されている。そして、この第２規制部材３１は、第１規制部材３０よりも前方にあって（図５，６参照）上下方向に波状に屈曲形成されていて、後部クッション部材１４ａの前方への変形を抑制する規制部３１ａ、後部クッション部材４４ａの表皮１５を取り付ける一対の表皮取付部３１ｂ，３１ｂおよびバックボード１６の上縁を係止する一対のバックボード取付部３１ｃ，３１ｃが一体に形成されている。具体的には、前記規制部３１ａは、第２規制部材３１の中央部に形成され、前記第１規制部材３０と交差し上方に突出して横方向に直線状に延びる突出部分３１ａ−１と、その両端より下方に垂下する垂下部分３１ａ−２を有して逆Ｕ字状に形成されている。また、前記表皮取付部３１ｂは、前記垂下部分３１ａ−２の下端に連続して横方向に直線状に延びており、さらに、前記バックボード取付部３１ｃは、表皮取付部３１ｂの左右両側に、略鉛直な連結部分３１ｄ，３１ｄを介して横方向に直線状に延びている。
【００４２】
図３，４に示すように、前記第２規制部材３１の、規制部３１ａの突出部分３１ａ−１は、アッパフレーム２２に設けられる、ヘッドレストの一対の支持筒１１，１１の下端よりも上方に突出し、かつ、その支持筒１１，１１間に配置されていて、一対のヘッドレストの支持筒１１，１１近傍の後部クッション部材１４ａがそれよりも前方側、すなわち乗員側へ変形して侵入するのを効果的に抑制する。
【００４３】
図３、４、５、６に示すように、シートバック１６の背面を覆うバックボード１６の上端内側に設けられる一対の取付けフック１６ａ，１６ａは、前記第２規制部材３１のバックボート取付部３１ｃ，３１ｃに係止され、バックボード１６の上端は、第２規制部材３１に取り付けられる。また、クッション部材１４を被覆する表皮１５の端末は、第２規制部材３１の表皮取付部３１ｂ、３１ｂに結着される。
【００４４】
ところで、自動車の急加速時、後面衝突時など、過大な外力がシートバック３に作用したき、第２規制部材３１に設けた規制部３１ａは、シートバックフレーム２０よりも後方側のクッション部材１４ａが、その前方側へと変形して侵入するのを抑制することができ、クッション部材１４による乗員の保護を安定させることができる。
【００４５】
また、シートバック３の製作時、運搬時などにおいても、シートバック３に後方からの過大な外力が作用したときにも、第２規制部材３１の規制部３１ａは、シートバックフレーム２０よりも後方側の後部クッション部材１４ａが、その前方側へ変形して侵入するのを抑止することができる。
【００４６】
図２〜７、１１に示すように、シートバックフレーム２０内には、シートクッション上に着座する乗員Ｍの上半身、すなわちその胸部および腰部を支持する、受圧部材４０が、その四方に間隙をあけて配設されている。この受圧部材４０は、ＰＰ（ポリプロピレン）などの合成樹脂製の板材により、前後方向からみて四角形状に形成されており、シートフバックフレーム２０に、上部連結部材としての上部連結ワイヤ４１および下部連結部材としての下部連結ワイヤ４２を介して前後方向に撓むように弾性支持されている。上部連結ワイヤ４１は、下部連結ワイヤ４２よりも軸方向の伸び量が大きく、これにより、受圧部材４０は、その上部が、下部よりも前後方向の撓み量が大きくなるようにされている。
【００４７】
図３，４に示すように、受圧部材４０は、その上部が、その下部よりも車幅方向の横幅が広く、かつその上部の肉厚ｔ2 が、その下部の肉厚ｔ1 よりも肉薄に形成されている（図５参照）。受圧部材４０の左右両側には、左右側部縦リブ４０ａ，４０ａがその背面側に向けて膨出形成され、さらに、その下半部には、その略全域に亘り、複数の縦リブ４０ｂ…、それらとクロスする横リブ４０ｃ、他の複数の小リブ４０ｄ…がその背面側に向けて膨出形成されており、これらのリブは、受圧部材４０の左右両側部および下半部を補強している。そして、受圧部材４０に乗員Ｍからの荷重が作用したとき、その上部が、下部よりも弾性変形し易く、その沈み込み量が大きくなるようにされており、後述するように受圧部材４０による乗員Ｍの保護効率を高めるようにしている。
【００４８】
図３，４に示すように、受圧部材４０の上部および下部は、上部および下部連結ワイヤ４１，４２によって、前後方向に撓むように弾性変形可能に支持される。
【００４９】
受圧部材４０の背面の上方角部には、下向きに開放した鉤状の左右上部支持片４０ｅ，４０ｅがそれぞれ一体に形成され、またその上方中央部には上向きに開放した鉤状の上部中央支持片４０ｆが一体に形成され、さらに、それらの支持片４０ｆよりも下方において、左右上部支持片４０ｅ，４０ｅと上部中央支持片４０ｆとの間には、下向きに開放した鉤状の左右中間支持片４０ｇ，４０ｇがそれぞれ一体に形成されている。
【００５０】
一方、上部連結ワイヤ４１は、上下方向に波状に屈曲形成されて、その両端４１ｅ，４１ｅがシートバックフレーム２０の左右サイドフレーム２１，２１に連結されている。受圧部材４０の左右上部支持片４０ｅ，４０ｅは、上部連結ワイヤ４１の横方向に延びる左右上部分４１ａ，４１ａにそれぞれ横方向に摺動可能に支持され、また、その上部中央支持片４０ｆは、上部連結ワイヤ４１の横方向に延びる上部分４１ｂに支持され、さらに、その左右中間支持片４０ｇ，４０ｇは、上部連結ワイヤ４１の横方向に延びる左右下部分４１ｃ，４１ｃにそれぞれ横方向に摺動可能に支持される。
【００５１】
また、図３，４，８に示すように、受圧部材４０の、左右上部には、前記上部連結ワイヤ４１に当接して受圧部材４０の撓み量を制限する左右一対の当接部材４０ｈ，４０ｈが一体に設けられる。すなわち、受圧部材４０の左右側部縦リブ４０ａ，４０ａの上部には、その受圧部材４０の背面との間に間隙を存して内方に向けて突出する当接部材４０ｈ，４０ｈが一体に形成されている。前記当接部材４０ｈ，４０ｈと受圧部材４０の背面との間に上部連結ワイヤ４１の左右側部４１ｄ，４１ｄを受け入れる受入空間ｃ，ｃ（図８，１２参照）が形成される。そして、その受入空間ｃ，ｃに進入した上部連結ワイヤ４１の左右側部４１ｄ，４１ｄは、前記当接部材４０ｈ，４０ｈにそれぞれ当接して受圧部材４０の後方への変移が抑制され、これにより、受圧部材４０の後方への撓み量（沈込み量）を規制することができる。
【００５２】
受圧部材４０の下部は、下部連結ワイヤ４２によって、後方に移動可能に支持される。図３，４に示すように、受圧部材４０の背面の下方左右には、下向きに開放した鉤状の左右下部支持片４０ｉ，４０ｉがそれぞれ一体に形成され、またその中央部には上向きに開放した鉤状の下部中央支持片４０ｊが一体に形成されている。
【００５３】
一方、下部連結ワイヤ４２は、上下方向に屈曲形成されて、その両端４２ｅ，４２ｅがシートバックフレーム２０の左右サイドフレーム２１，２１に、それぞれ回動部材４４および引張ばね４６を介して連結されている。図９に示すように、回動部材４４はサイドフレーム２１に前後方向に回動自在に軸支４５され、この回動部材４４の下端と、サイドフレーム２１間には引張バネ４６が張架されており、この引張バネ４６の引張力は、回動部材４４を上方（図９時計方向）に回動するように付勢している。また、下部連結ワイヤ４２の端部４２ｅは、回動部材４４の下端に連結されている。したがって、受圧部材４０に後方への負荷が作用すれば、該受圧部材４０の下部は、回動部材４４および引張バネ４６を介して後方に向けて撓むようにされる。回動部材４４には、ストッパ片４４ａが一体に設けられ、このストッパ片４４ａがサイドフレーム２１の縁部に係合して、受圧部材４０の下部の後方への撓み量が規制される。
【００５４】
しかして、上部連結ワイヤ４１および下部連結ワイヤ４２によってシートバックフレーム２０に支持される受圧部材４０は、そこに乗員Ｍから後方への負荷が作用したとき、主として乗員Ｍの胸部を支持する上部が、主として乗員の腰部を支持する下部よりも撓み量が大きく、すなわちその沈み込み量を大きくなるように設定される。
【００５５】
ところで、シートクッション２上に着座する乗員Ｍの頭部はヘッドレストにより支持され、乗員Ｍの上半身は、シートバック３の受圧部材４０のほか、シートバックフレーム２０のロアーフレーム２３の中央部材２４に特設した中央部分２６により支持される。
【００５６】
特に、前記中央部分２６は、ロアーフレーム２３の中央部材２４から受圧部材４０に向けて上方に突出されて、ロアーフレーム２３よりも前方に延出されて乗員Ｍに近付けることができるので、その中央部分２６により、乗員Ｍの上半身、特に、その腰部を、素早く、直接支持することができ、自動車の急加速時、後面衝突時など、シートバック３に過大な衝撃荷重が作用する場合にも、その衝撃荷重を有効に吸収して乗員の支持力を向上させることができる。
【００５７】
なお図３，４から明らかなように、車幅方向で見て、前記中央部分２６は受圧部材４０の下側部分の幅内に配置されるとともに、受圧部材４０の下側部分は中央部材２４の両端部分２４ａ及びそれらで挟まれる部分の範囲内に配置されている。
【００５８】
また、中央部分２６には、第１のフランジ部２６ｂ，折曲部２６ｃが形成されるので、この中央部分２６の強度が高められて、その中央部分２６が衝撃荷重で、変形したり、損傷したりすることがない。
【００５９】
また、中央部分２６を、ロアーフレーム２３と別部材で構成すれば、ロアーフレーム２３本来の機能を損なうことなく、中央部分２６を、乗員Ｍの支持に最も適した材料により形成することができる。
【００６０】
また、中央部分２６の第１のフランジ部２６ｂは、前方に折り曲げることにより、そこにクッション部材１４の表皮１５の端縁を掛け止めることができ、中央部分２６により表皮１５の端縁を安定して支持することができる。
【００６１】
また、中央部分２６は、ロアーフレーム２３の中央部材２４から前方に前上りに傾斜するので、中央部分２６は、素早く乗員Ｍを支持することができ、その支持力を向上させることができる。
【００６２】
また、中央部分２６は、その上部と下部の間が、前方に凸の湾曲面２６ａに形成されているので、乗員Ｍに違和感を与えることなく、その支持力が一層向上する。
【００６３】
また、乗員の通常の着座状態（シートバック３に過大な負荷が作用しない状態）では、受圧部材４０の下端よりも、中央部分２６の上端および湾曲面２６ａが後方に位置しているので、乗員Ｍに違和感を与えることがない。
【００６４】
また、乗員の着座状態で、シートバックに過大な負荷が作用したときは、受圧部材４０の下端の真下に中央部分２６の前端が配置されるようにして受圧部材４０の下端面と前記中央部分２６の上端面とが並列され、それらの面が相互に接近するようにしたので、乗員Ｍの支持力を一層向上させることができる。
【００６５】
また、中央部分２６の上端部のシート幅方向の長さは、前記受圧部材４０の下端部をシートバックフレームに取付ける下部取付け部材の左右取付部間の長さよりも長くされているので、中央部分２６による乗員の支持を一層安定させることができる。
【００６６】
また、中央部分２６のシート幅方向の長さは、受圧部材４０の下部をシートバックフレーム２０に取付ける左右取付部間の長さよりも長くされているので、中央部分２６による乗員Ｍの支持を一層安定させることができる。
【００６７】
本発明は上記実施形態に限定されるものではなく、その要旨を逸脱しない範囲で種々の設計変更が可能である。
【００６８】
たとえば、前記実施態様では、本発明の乗物用座席シートを、自動車用に実施した場合について説明したが、これを、鉄道車両、船舶などの他の乗物にも実施できることは勿論である。
【図１】
0006457035.tif 000002
【図２】
0006457035.tif 000003
【図３】
0006457035.tif 000004
【図４】
0006457035.tif 000005
【図５】
0006457035.tif 000006
【図６】
0006457035.tif 000007
【図７】
0006457035.tif 000008
【図８】
0006457035.tif 000009
【図９】
0006457035.tif 000010
【図１０】
0006457035.tif 000011
【図１１】
0006457035.tif 000012
【図１２】
0006457035.tif 000013